(57)【要約】【課題】キャビネットの棚受穴のピッチ以外の任意の高さに棚板を設置できる係止具の提供を目的とする。【解決手段】キャビネット１２の左右の側板内面１２ａに複数段設けた棚受穴１２ｂに装着し、棚板１１を任意の位置に設置できる棚板の係止具で、前記棚受穴１２ｂに装着する係止具本体５と、棚板１１を載置し棚板の移動を規制する載置部材８を備え、前記係止具本体５と載置部材８はねじ機構を介して螺合する構成とし、前記ねじ機構を調整することにより載置部材の高さを変えることができるようにすることにより、ねじ機構を調整することでキャビネット内の左右の側板内側１２ａに設けた棚受穴１２ｂのピッチ以外の任意の高さに棚板１１を設置できるものである。【選択図】図２
2006068413.tif 000002
【特許請求の範囲】
【請求項１】
キャビネットの左右の側板内面に前後一対且つ上下方向に複数段設けた棚受穴に装着し、棚板を任意の位置に設置できる棚板の係止具で、前記棚受穴に装着する係止具本体と、棚板を載置し棚板の移動を規制する載置部材を備え、前記係止具本体と載置部材はねじ機構を介して螺合する構成とし、前記ねじ機構を調整することにより載置部材の高さを変えることができる棚板の係止具。
【請求項２】
ねじ機構は、載置部材に一体に形成した雄ねじ部と、係止具本体に一体に形成した雌ねじ部で構成する請求項１に記載の棚板の係止具。
【請求項３】
ねじ機構は、載置部材に回動自在に係合した雄ねじ部材と、係止具本体に一体に形成した雌ねじ部で構成した請求項１に記載の棚板の係止具。
【請求項４】
係止具本体に形成した雌ねじが下端面まで貫通した構成を特徴とする請求項２または３に記載の棚板の係止具。
【請求項５】
雄ねじ部材の上端部が載置部材の棚板載置片の下面に当接する構成の請求項３または４に記載の棚板の係止具。
【請求項６】
載置部材は棚板の上方への離脱を規制する棚板保持片を備えた構成の請求項１〜５のいずれか１項に記載の棚板の係止具。
【請求項７】
少なくとも１個の載置部材に、棚板の前方向の移動を規制するストッパー部材を着脱自在に設置したことを特徴とする請求項１〜６のいずれか１項に記載の棚板の係止具。
【請求項８】
係止具本体は左右対称形状としたことを特徴とする請求項１〜７のいずれか１項に記載の棚板の係止具。
【請求項９】
載置部材は左右対称形状としたことを特徴とする請求項１〜８のいずれか１項に記載の棚板の係止具。
【請求項１０】
ストッパー部材は左右対称形状としたことを特徴とする請求項１〜９のいずれか１項に記載の棚板の係止具。
【請求項１１】
棚板を載置した状態で、係止具本体が棚受穴から抜けることを防止する抜け防止手段を備えたことを特徴とする請求項１〜１０のいずれか１項に記載の棚板の係止具。
【請求項１２】
キャビネット内側面に複数の棚受穴を設け、請求項１〜１１のいずれか１項に記載の棚板の係止具で棚板を係止した収納キャビネット。
【発明の詳細な説明】
【技術分野】
【０００１】
本発明は家具等のキャビネットに棚板を設置する棚板の係止具に関するものである。
【背景技術】
【０００２】
従来の棚板の係止具は、図７に示すように、手前開放部では棚板の上下と手前への脱落を左右１対の係止具でおこない、後方閉部では棚板上下と後方を挟み込むコの字型を形成した左右１対の係止具で棚板の固定をするようにようになっていた（例えば、特許文献１参照）。
【０００３】
図７は、特許文献１に記載された従来の棚板の係止具およびこの係止具を使用したキャビネットを示すものである。図７に示すように、手前開放部では棚板１の上下と手前への脱落を左右１対の係止具２でおこない、後方閉部３では棚板１上下と後方を挟み込むコの字型を形成した左右１対の係止具４で棚板１の固定をするようにようになっていた。
【特許文献１】特開２００１−０４６１５８号公報
【発明の開示】
【発明が解決しようとする課題】
【０００４】
しかしながら上記従来の棚板の係止具では、前方のものと後方のもので全く異なった形状となり、さらにそれぞれに左右対称の別形状をした係止具が必要となる。また、各々の使用者が利用できる棚板の高さ位置はキャビネット内の左右側板の内側に設けられた棚受穴の上下ピッチに限定され、仮にピッチの間の位置で使用したくなってもそのままでは使用できず、その要望に応えるためには、棚受穴のピッチを細かくしていく必要があり、コスト高や外観を損なうという課題があった。
【０００５】
本発明は、前記従来の課題を解決するもので、前後左右全ての位置に同じものを使用できる棚板の係止具で、さらにキャビネット内の左右側板の内側に設ける棚受穴のピッチ以外の高さ位置に棚板を設定できる係止具の提供を目的とする。
【課題を解決するための手段】
【０００６】
キャビネットの左右の側板内面に前後一対且つ上下方向に複数段設けた棚受穴に装着し、棚板を任意の位置に設置できる棚板の係止具で、前記棚受穴に装着する係止具本体と、棚板を載置し棚板の移動を規制する載置部材を備え、前記係止具本体と載置部材はねじ機構を介して螺合する構成とし、前記ねじ機構を調整することにより載置部材の高さを変えることができるようにしたものである。
【０００７】
これによって、ねじ機構を調整することでキャビネット内の左右側板の内側に設けた棚受穴のピッチ以外の高さに棚板を設置できるものである。
【発明の効果】
【０００８】
本発明の棚板の係止具は、棚板の設置高さをキャビネットの左右側板の内側に設けた棚受穴の上下ピッチ以外の任意の高さに設置することができる。
【発明を実施するための最良の形態】
【０００９】
第１の発明はキャビネットの左右の側板内面に前後一対且つ上下方向に複数段設けた棚受穴に装着し、棚板を任意の位置に設置できる棚板の係止具で、前記棚受穴に装着する係止具本体と、棚板を載置し棚板の移動を規制する載置部材を備え、前記係止具本体と載置部材はねじ機構を介して螺合する構成とし、前記ねじ機構を調整することにより載置部材の高さを変えることができるようにすることにより、側板の棚受穴数を増やさなくとも、係止具本体の位置を一定にしたままで自由に棚板の高さ位置を変えることができるようになる。
【００１０】
第２の発明は、特に第１の発明のねじ機構を、載置部材に一体に形成した雄ねじ部と、係止具本体に一体に形成した雌ねじ部で構成することにより、構成部材の数を少なくシンプルにできるため、生産性の向上に加え、取り扱いの簡便化が図れる。
【００１１】
第３の発明は、特に第１の発明のねじ機構を、載置部材に回動自在に係合した雄ねじ部材と、係止具本体に一体に形成した雌ねじ部で構成することにより、雄ねじ部材を載置部材とは独立して調整することが可能となるため、棚板を載置した状態で高さ調整ができるとともに、雄ねじ部材の回転角度が規制されないため無段階の高さ調整が可能となる。
【００１２】
第４の発明は、特に、第２または第３の発明の係止具本体に形成した雌ねじが下端面まで貫通した構成とすることにより、雄ねじ部または雄ねじ部材の長さを長くすることにより、高さ調整代を大きくとれるようになり、調整代の大きい物を小さな部材で安価に実施できる。
【００１３】
第５の発明は、特に、第３または第４の発明の雄ねじ部材の上端部が載置部材の棚板載置片の下面に当接する構成とすることにより、雄ねじ部材の上下移動に載置部材が直接連動できるようになるため、精度良く高さ調整ができる。
【００１４】
第６の発明は、特に、第１〜５のいずれか１つの発明の載置部材が棚板の上方への離脱を規制する棚板保持片を備えた構成とすることにより、収納物の出し入れの際に不用意に棚板が脱落することを防止することができるため、安全性と使い勝手の向上が図れる。
【００１５】
第７の発明は、特に、第１〜６のいずれか１つの発明の少なくとも１個の載置部材に、棚板の前方向の移動を規制するストッパー部材を着脱自在に設置したことにより、棚板の前方向の移動を規制し、前方への脱落を防止することができ、より安全性と使い勝手の向上が図れる。
【００１６】
第８の発明は、特に、第１〜７のいずれか１つの発明の係止具本体を左右対称形状としたことにより、前後左右共用にできるため、係止具本体は１種類のみで全ての場所での使用が可能になるため、部品が標準化できるようになる。
【００１７】
第９の発明は、特に、第１〜８のいずれか１つの発明の載置部材を左右対称形状としたことにより、前後左右共用できるため、さらに部品が標準化できるようになる。
【００１８】
第１０の発明は、特に、第１〜９のいずれか１つの発明のストッパー部材を左右対称形状としたことにより、前後左右共用にできるため、ストッパー部材は１種類のみで全ての場所での使用が可能になるため、部品が標準化できるようになる。
【００１９】
第１１の発明は、特に、第１〜１０のいずれか１つの発明において、棚板を載置した状態で、棚板の係止具が棚受穴から抜けることを防止する抜け防止手段を備えたことにより、使用中に棚板の係止具が抜け落ち、棚板が落下することがないので、安全性が向上する。
【００２０】
第１２の発明は、特に、キャビネット内側面に複数の棚受穴を設け、第１〜１１のいずれか１つの発明の棚板の係止具で棚板を係止した収納キャビネットとすることにより、棚板は任意の高さに設置することができ、安全で使い勝手の良い収納キャビネットを安価に提供することができる。
【００２１】
以下、本発明の実施の形態について、図面を参照しながら説明する。なお、この実施の形態によって本発明が限定されるものではない。
【００２２】
（実施の形態１）
図１は、本発明の第１の実施の形態における係止具本体の斜視図を示し、図２と図３は本発明の第１の実施の形態における載置部材の上方からの斜視図と下方からの斜視図を示し、図４は載置部材と着脱可能なストッパー部材の斜視図を示し、図５は係止具本体に載置部材を装着したときの横断面図を示し、図６は棚板の係止具を装着したキャビネットの一例を示す斜視図である。
【００２３】
図１〜図６において、係止具本体５は樹脂や金属等の成型材料で一体に成型されており、背面には金属製等の強度のある円柱状のピン６が突設されており、上面５ａの略中央の位置に上下方向の貫通穴にねじ山を切った雌ねじ部７と上面後部には脱落防止片５ｂが形成されている。
【００２４】
略Ｅ字型断面の載置部材８は、上部には略水平に屈曲した棚板保持片８ａとその裏面には掛かり溝８ｂを前後に設けられ、略中央部には略水平に棚板載置片８ｃが形成され、棚板載置片８ｃの下方に隙間を設けて略水平に並設したねじ部材保持片８ｅが形成されており、棚板保持片８ａとねじ部材保持片８ｅの間には略鉛直面の壁面８ｄが形成されている。
【００２５】
ねじ部材保持片８ｅの略中央面には貫通穴８ｆが設けられ、貫通穴８ｆの一部は挿入溝８ｇによりねじ部材保持片８ｅの外縁に開放されている。
【００２６】
雄ねじ部材９の上端部には棚板載置片８ｃとねじ部材保持片８ｅの隙間に挿入可能な略水平面の笠９ｂを備え、貫通穴８ｆより小さい径の略円柱が雄ねじ部９ａを形成しながら下方に伸びており、載置部材８の挿入溝８ｇより圧入することにより貫通穴８ｆに回動自在に保持され、上端部の笠９ｂは棚板載置片８ｃの下面に当接する。
【００２７】
ねじ部材９の雄ねじ部９ａは係止具本体５の雌ねじ部７と螺合し、雄ねじ部９の下端面部９ｃにはドライバーの刃先が入る溝９ｄが形成され、ねじ部材９を回転することができる。
【００２８】
樹脂等の弾性を有する材料で形成されたストッパー部材１０は、裏面に突起部１０ａを形成された前垂れ１０ｂとさらに後方端部には下方に垂下した後垂れ１０ｃと突起部１０ｄを形成されており、図６に示すように前側の載置部材８に設置すると、突起部１０ａ、１０ｄが載置部材８の掛かり溝８ｂに嵌合固定され、棚板１１の前方への移動を規制する。
【００２９】
キャビネット１２には両側板内面１２ａには前記係止具本体５のピン６が挿入可能な棚受穴１２ｂが左右対称に前後に複数個配設されている。
【００３０】
以上のように構成された棚板の係止具について、以下その動作、作用を説明する。雄ねじ部材９の下端面部９ｃに設けられた溝９ｄはドライバーの刃先が入る形状を有し、ドライバーを回転させることで係止具本体５に設けられた雌ねじ部７に装着する。
【００３１】
次に、ピン６をキャビネット側板の内側に設けられた棚受穴前後左右に、任意の位置で差込み、棚板１１を手前より載置部材８の棚板保持片８ａと棚板載置片８ｃの間に、キャビネットの背板に当たるまで挿入していく。
【００３２】
次に、前記手前開放部側の棚板の係止具においてはストッパー部材１０の突起部１０ａ，１０ｄをあらかじめ設けてある載置部材８の掛かり溝８ｂにストッパーの前垂れを手前に向け、上から嵌め込むように取付けると、棚板１１の上方および前後方向への移動を規制されるため、容易に脱落することがなく安全に使用することができる。
【００３３】
さらに、棚板高さ位置を変えたいときは、雄ねじ部材９の下端面部９ｃに設けられた溝９ｄにドライバーの刃先を挿入して回転させることで、雄ねじ部材９の笠９ｂが上下動し、笠９ｂが当接している載置部材の棚板載置片８ｃも連動して移動するため、棚板１１の高さ位置をかえることができる。
【００３４】
また、棚板１１を載置部材８に載置した状態において、壁面８ｄはキャビネット１２の側板内面１２ａと棚板１１の側面との間に挟まれた状態で設置されており、また係止具本体５の脱落防止片５ｂは載置部材８とキャビネット１２の側板内面１２ａとの間に挟まれた状態であるので、棚板１１を取り外さない限り係止具本体５のピン６は棚受穴１２ｂから抜けない構造となっており、使用中に係止具が抜け落ち棚板１１が落下するという危険性はなく、この点でも安全性が高い。
【００３５】
以上のように、本実施の形態においては全て左右対称形状の係止具本体５と載置部材８さらにストッパー部材１０を組み合わせて使用することにより、少ない種類の部材で前後左右全ての場所での使用が可能であり、棚板の高さ位置も自由に変えることができ、さらに棚板の脱落を防止し安全で使用勝手の良い家具等の係止具を安価に提供することができる。
【００３６】
また、本実施の形態においては、係止具本体とピンは別部品の構成としたが、強度等の問題がない場合は一体で成形することによりコスト削減を図ることが可能である。
【００３７】
また、本実施の形態においては、載置部材と雄ねじ部材を別部材として構成したが、載置部材の下部に雄ねじ部を一体で形成することにより、これらの部材の機能を一体で実現することが可能であり、これにより構成部材の数を少なくシンプルにできるため、生産性の向上に加え、取り扱いの簡便化が図れる。
【産業上の利用可能性】
【００３８】
以上のように、本発明にかかる棚板の係止具は棚板の設置高さを自由に変更することが可能となるので、工業用や商業用の収納装置等の用途にも適用できる。
【図面の簡単な説明】
【００３９】
【図１】本発明の実施の形態１における係止具本体の斜視図
【図２】本発明の実施の形態１における載置部材と雄ねじ部材の上方からの斜視図
【図３】本発明の実施の形態１における載置部材と雄ねじ部材の下方からの斜視図
【図４】本発明の実施の形態１におけるストッパー部材の斜視図
【図５】本発明の実施の形態１における係止具本体と雄ねじ部材と載置部材を装着したときの横断面図
【図６】本発明の実施の形態１における棚板の係止具をキャビネット装着した状態を示す斜視図
【図７】従来の棚板の係止具をキャビネットに設置した状態を示す斜視図
【符号の説明】
【００４０】
５  係止具本体
７  雌ねじ部
８  載置部材
８ａ  棚板保持片
８ｃ  棚板載置片
９  雄ねじ部材
９ａ  雄ねじ部
９ｂ  笠（上端部）
１０  ストッパー部材
１１  棚板
１２  キャビネット
１２ａ  側板内面
１２ｂ  棚受穴
【図１】
2006068413.tif 000003
【図２】
2006068413.tif 000004
【図３】
2006068413.tif 000005
【図４】
2006068413.tif 000006
【図５】
2006068413.tif 000007
【図６】
2006068413.tif 000008
【図７】
2006068413.tif 000009